(57)【要約】【課題】  ハーネスがフロントドア及び筐体間に形成される隙間に挟まれることのない箱型遊技機を提供する。【解決手段】  箱型遊技機の一例であるスロットマシンは、前側が開口した筐体５０にヒンジ３１、３２を介してフロントドア１０が開閉自在に取り付けられ、フロントドア１０及び筐体５０のそれぞれに設けられた電気部品同士はハーネスＨで接続される。フロントドア１０を筐体５０から開いたときにヒンジ３１、３２が設けられた側の筐体５０及びフロントドア１０の端部間に形成される隙間３４を内側から覆うカバー部７０を、筐体５０の左側板５０ａに設ける。カバー部７０は、基部側が左側板５０ａの内面に回動自在に取り付けられた板状部材７１と、これを隙間３４側に付勢するねじりコイルばね７７とを有してなる。カバー部７０の板状部材７１は、ハーネスＨが横切る部分の隙間３４を少なくとも覆う大きさを有する。【選択図】  図３
2006149741.tif 000002
【特許請求の範囲】
【請求項１】
前側が開口した筐体と、該筐体の前側端部に取り付けられたヒンジを介して開閉自在なフロントドアと、該フロントドア及び前記筐体のそれぞれに設けられた電気部品同士を繋ぐハーネスとを有してなる箱型遊技機において、
前記フロントドアを前記筐体から開いたときに前記ヒンジが設けられた側の該筐体及び前記フロントドアの端部間に形成される隙間を内側から覆うカバー部を、前記筐体及び前記フロントドアのいずれかの内面に設けたことを特徴とする箱型遊技機。
【請求項２】
前記カバー部は、基部側が前記筐体及び前記フロントドアのいずれかの内面に回動自在に取り付けられた板状部材と、該板状部材を前記隙間側に付勢する付勢手段とを有してなることを特徴とする請求項１に記載の箱型遊技機。
【請求項３】
前記カバー部の前記板状部材は、前記ハーネスが横切る部分の隙間を少なくとも覆う大きさを有することを特徴とする請求項２に記載の箱型遊技機。
【発明の詳細な説明】
【技術分野】
【０００１】
本発明は、箱型遊技機に関し、さらに詳細には、筐体の前側に開閉自在に取り付けられたフロントドアと筐体の各内側に設けられた電気部品同士をハーネスで繋いだ箱型遊技機に関する。
【背景技術】
【０００２】
箱形遊技機は、パチンコ遊技機、スロットマシン、雀球機及びパチスロマシンやゲームセンタで用いられているゲーム機等が、一般的に知られている。これらの遊技機のうちのスロットマシンは、前側が開口した筐体の幅方向の一方側端部に設けられたヒンジを介して筐体に対してフロントドアが開閉自在に取り付けられている（特許文献１参照）。
【０００３】
このスロットマシンのフロントドアには、前側に面するパネル部が設けられ、このパネル部にはスピーカが裏面側に取り付けられた放音部、液晶ディスプレイ等で形成された演出表示装置及び遊技者が操作するベットボタン、スタートレバー、ストップボタン等が配設されている。これらのボタン等は、パネル部の裏側に設けられた中央表示基板と呼ばれる電気回路基板に電気的に接続され、この中央表示基板からの出力信号は筐体に設けられた主制御基板にハーネスを介して転送される。
【０００４】
フロントドアを筐体に取り付けるヒンジは、フロントドアが閉じられると、フロントドアの裏側の周端部と筐体の前側の周端部とが近接するようにフロントドアを移動させ、フロントドアが開けられると、ヒンジ側のフロントドアの周端部が筐体側のそれから離反する方向にフロントドアを移動させる。
【０００５】
【特許文献１】特開２００４−２９８４７０号公報（図１、図２）
【発明の開示】
【発明が解決しようとする課題】
【０００６】
このため、フロントドアが開いた状態になると、ヒンジ側のフロントドアの周端部と筐体側の周端部との間に上下方向に延びる隙間が形成される。また、ハーネスは線材を幅方向に複数並べてそれぞれの線材を絶縁材料で被覆したものであり、弾性を有する。さらにフロントドアは開け閉めされるので、フロントドアを開けたときにハーネスが引っ張られた状態にならないように、ハーネスは余裕をもった長さにする必要がある。その結果、開いたフロントドアを閉じようとすると、ハーネスは延びた状態から屈曲するように変形する。そして、この変形したハーネスが隙間内に入り込むと、フロントドアと筐体との周端部間に挟まれて、ハーネスが断線等して、遊技機の動作不良や故障等が発生する。そこで、フロントドアを閉じようとするときに、ハーネスが隙間に接近する方向に屈曲して移動しないように、ハーネスを厚肉の絶縁材料製のチューブ内に挿通して変形をし難くすると共に、中央表示基板から延びるハーネスをフロントドアのパネル部の裏面に沿って延ばしてバンドで固定し、隙間を横切る部分のハーネスを強制的に隙間から離反する側に折り曲げ、主制御基板側に延びるハーネスを筐体にバンドで固定する方法が提案されている。
【０００７】
しかしながら、このようにハーネスを固定し且つ変形しても、隙間を横切る部分のハーネスは余裕をもった長さを有して配置されているので、この部分のハーネスが隙間内に入り込む虞を確実に防止することは困難である。そこで、隙間を横切る部分のハーネスが変形しないように、ハーネスを固定部材等に固定すると、フロントドアの開閉時において固定部材等がフロントドアの裏側や筐体の内側に設けられた部品等に当接してフロントドアの開閉が困難になる虞が生じ、ハーネスを固定部材等で固定することはできない。このため、ハーネスが隙間内に挟まれる虞のない箱型遊技機の提供が望まれていた。
【０００８】
本発明は、このような要望に応えるためになされたものであり、フロントドアと筐体間を横切るハーネスがフロントドア及び筐体間に形成される隙間に挟まれることのない箱型遊技機を提供することを目的とする。
【課題を解決するための手段】
【０００９】
このような課題を解決するため、本発明は、前側が開口した筐体と、該筐体の前側端部に取り付けられたヒンジを介して開閉自在なフロントドアと、該フロントドア及び筐体のそれぞれに設けられた電気部品（例えば、実施形態における中央表示基板２７，主制御基板５１）同士を繋ぐハーネスとを有してなる箱型遊技機（例えば、実施形態におけるスロットマシン１）において、フロントドアを筐体から開いたときにヒンジが設けられた側の該筐体及びフロントドアの端部間に形成される隙間を内側から覆うカバー部を、筐体及びフロントドアのいずれかの内面に設けたことを特徴とする。
【００１０】
この発明によれば、隙間を内側から覆うカバー部を筐体及びフロントドアのいずれかの内面に設けることにより、フロントドアを筐体から開いたときにヒンジ側の筐体とフロントドアとの間に形成される隙間を内側からカバー部によって覆うことができる。このため、フロントドア及び筐体間を横切って延びるハーネスがフロントドアの閉動作に応じて隙間側に変形しても、ハーネスはカバー部に当接して隙間内に入り込むことはない。このため、ハーネスがフロントドアと筐体との間に形成される隙間に挟まれる虞のない箱型遊技機を提供することができる。
【００１１】
また本発明は、カバー部は、基部側が筐体及びフロントドアのいずれかの内面に回動自在に取り付けられた板状部材と、該板状部材を隙間側に付勢する付勢手段（例えば、実施形態におけるねじりコイルばね７７）とを有してなることを特徴とする。
【００１２】
この発明によれば、カバー部が回動自在に取り付けられた板状部材とこれを隙間側へ付勢する付勢手段とを有してなることにより、板状部材は常に付勢手段によって隙間側へ付勢されるので、隙間は、フロントドアの開閉に拘らずに、常に板状部材によって押圧された状態で覆われる。このため、フロントドアの開閉動作の途中で隙間の内側開口部が開放された状態になる事態を未然に防止し、その結果としてハーネスが隙間に入り込む事態を確実に防止することができる。
【００１３】
また本発明は、カバー部の板状部材は、ハーネスが横切る部分の隙間を少なくとも覆う大きさを有することを特徴とする。
【００１４】
この発明によれば、カバー部の板状部材はハーネスが横切る部分の隙間を少なくとも覆う大きさを有することにより、板状部材の大きさを必要最小限にすることができ、遊技機の重量増加を抑制することができる。
【発明の効果】
【００１５】
本発明によれば、フロントドアを筐体から開いたときにヒンジが設けられた側の筐体及びフロントドアの端部間に形成される隙間を内側から覆うカバー部を設けることにより、ハーネスがフロントドアと筐体との間に形成される隙間に挟まれる虞のない箱型遊技機を提供することができる。
【発明を実施するための最良の形態】
【００１６】
以下、本発明に係わる箱型遊技機の好ましい実施の形態を図１から図５に基づいて説明する。本実施の形態は、箱型遊技機の一例としてスロットマシンを例にして説明する。
【００１７】
スロットマシン１は、図１（正面図）に示すように、遊技者に面するフロントドア１０と、フロントドア１０を開閉自在に取り付けた図２に示す筐体５０とを有して構成される。フロントドア１０は、後述する矩形状の枠組みに機械的に強固な硬質プラスチック製のパネル部１１を取り付けて構成される。パネル部１１は、上部パネル部１３、中部パネル部１４及び下部パネル部１５を備えて構成される。上部パネル部１３には、演出用の上部ランプ１３ａと演出用の効果音を発するスピーカが裏面側に取り付けられた放音部１３ｂ，１３ｃと、液晶ディスプレイ等で形成された演出表示装置１３ｄとが配設されている。
【００１８】
中部パネル部１４には、透明な硬質プラスチック板で形成された略長方形状の透過窓ＷＤと、演出用ランプ１４ａ，１４ｂが設けられ、図２に示す筐体５０内に設けられたリール装置６０のリールＲ１、Ｒ２、Ｒ３を、遊技者が透過窓ＷＤを介して見ることが可能となっている。
【００１９】
中部パネル部１４の下端部には、遊技者が操作するための操作パネル部１６が設けられ、この操作パネル部１６には、スロットマシンゲームを行うのに必要な遊技メダルを投入するためのメダル投入部ＭＤと、１ゲーム当たりのメダル数を提示するためのベットボタンＢ１，Ｂ２，Ｂ３と、１ゲームの開始を指示するためのスタートレバーＳＴと、回転中のリールＲ１、Ｒ２、Ｒ３を個別に停止させるためのストップボタンＳＰ１，ＳＰ２，ＳＰ３と、遊技者が獲得した遊技メダルの払い出しを指示するための精算ボタンＭＲが設けられている。
【００２０】
操作パネル部１６の右端には、フロントドア１０を開錠するための鍵穴ＫＹが設けられ、遊技場側の事業者や管理者が、鍵穴ＫＹに正規の鍵を挿入して開錠操作すると、フロントドア１０を筐体５０から開くことが可能となっている。
【００２１】
下部パネル部１５には、本スロットマシン１のゲーム内容を紹介等するための画像（図示略）が描かれており、更に遊技者の獲得した枚数の遊技メダルを払い出すための排出口１５ａ及びメダル受皿１５ｂと、スピーカが取り付けられた放音部１５ｃが設けられている。
【００２２】
次に、図２（斜視図）を参照して、フロントドア１０の裏面構造を説明する。なお、図２はフロントドア１０を開錠して筐体５０から開いた状態のフロントドア１０の裏側及び筐体５０の表側を表している。
【００２３】
図２に示すように、フロントドア１０の裏面上部には、前述した放音部１３ｂ，１３ｃを構成するスピーカＳＲ，ＳＬが設けられ、スピーカＳＲ，ＳＬの間には演出表示装置１３ｄが設けられている。演出表示装置１３ｄの裏面側には、電気回路基板で形成されたサブ制御基板２５が取り付けられている。
【００２４】
演出表示装置１３ｄとサブ制御基板２５の下方には、前述した透過窓ＷＤと中部パネル部１４のパネル面とが形成された略長方形状の枠体１４ｃが取り付けられている。枠体１４ｃの下方には、メダル投入部ＭＤより投入された投入物が正規の遊技メダルか異物かを判別して振り分けるセレクト機構Ｇ０と、セレクト機構Ｇ０で振り分けられた遊技メダルを筐体５０側に設けられているホッパ装置ＨＰへ案内するガイド部材Ｇ１と、セレクト機構Ｇ０で振り分けられた異物を排出口１５ａへ案内するガイド部材Ｇ２と、ホッパ装置ＨＰから出力される払い出し用のメダルを排出口１５ａへ案内するガイド部材Ｇ３とが設けられ、更に排出口１５ａの近傍には、前述した放音部１５ｃを構成するスピーカＳＷが取り付けられている。
【００２５】
枠体１４ｃとセレクト機構Ｇ０との間には、長尺状の電気回路基板で形成された中央表示基板２７が取り付けられている。この中央表示基板２７には、前述した操作部１６に設けられているベットボタンＢ１，Ｂ２，Ｂ３と、スタートレバーＳＴと、ストップボタンＳＰ１，ＳＰ２，ＳＰ３等が電気的に配線接続され、これらのボタンＢ１，Ｂ２，Ｂ３，ＳＴ，ＳＰ１，ＳＰ２，ＳＰ３の出力信号はハーネスＨを介して主制御基板５１側へ転送される。
【００２６】
筐体５０内には、主電源装置ＰＷＵと、ホッパ装置ＨＰから溢れた遊技メダルを収容するための補助貯留部ＳＨＰが設けられる他、前述した透過窓ＷＤに対向するリールＲ１、Ｒ２、Ｒ３を回転動可能に支持したリール装置６０が設けられている。
【００２７】
主電源装置ＰＷＵの側面には電源装置基板５２が取り付けられ、リール装置６０の上端には回胴装置基板６１が取り付けられ、リール装置６０の上方には前述した主制御基板５１が取り付けられている。サブ制御基板２５と主制御基板５１は、夫々硬質プラスチックの保護ケース内に個別に収納されたユニット構造となっている。主制御基板５１には、中央表示基板２７に接続されたハーネスＨの他端部が接続されている。
【００２８】
ハーネスＨは、線材を幅方向に複数並べてそれぞれの線材を絶縁材料で被覆したものであり、弾性を有する。そしてこのハーネスＨは、絶縁性で厚肉のチューブ内を挿通されている。従って、ハーネスＨは弾性変形し難い構造となっている。そして、中央表示基板２７から筐体５０側へ延びるハーネスＨ１は、フロントドア１０の枠組み２０の端部に取り付けられた固定バンド２８で固定され、フロントドア１０から筐体５０側へ延びる部分のハーネスＨ２は余裕を持った長さを有して強制的に内側に折り曲げられ、主制御基板５１側に延びるハーネスＨ３は筐体５０に取り付けられた複数の固定バンド２９で筐体５０の内面に固定されている。
【００２９】
次に、フロントドア１０の取り付け構造について説明する。フロントドア１０は、筐体５０の左側板５０ａの内面に取り付けられたヒンジ３１、３２を介して筐体５０に対して開閉可能である。ヒンジ３１、３２は上下方向に所定距離を有して配設されている。これらのヒンジ３１、３２は、フロントドア１０が閉じられると、フロントドア１０の裏側の周端部と筐体５０の前側の周端部とが近接するようにフロントドア１０を移動させ、フロントドア１０が開けられると、ヒンジ側のフロントドア１０の周端部が筐体５０側のそれから離反する方向にフロントドア１０を移動させる。このため、フロントドア１０が開くと、ヒンジ側のフロントドア１０の周端部と筐体５０側の周端部との間に上下方向に延びる隙間３４が形成される。従って、開いたフロントドア１０が閉じる方向に移動すると、隙間３４を横切るハーネスＨ２は、屈曲して変形して隙間３４内に入り込んでフロントドア１０と筐体５０との周端部間に挟まれて断線等する虞が生じる。
【００３０】
そこで、筐体５０の左側板５０ａには、この隙間３４を内側から覆うカバー部７０が設けられている。カバー部７０は、上下方向に延びる隙間３４のうちの一対のヒンジ３１、３２間の中間部に配設されている。つまり、カバー部７０は、フロントパネル１０から筐体５０側へ延びるハーネスＨ２を少なくとも含んだ領域に配設されている。このカバー部７０は、図３（ａ）（斜視図）に示すように、基部側が筐体５０の左側板５０ａの内面近傍位置に回動自在に取り付けられた板状部材７１と、この板状部材７１の先端側を隙間３４側に付勢する複数のねじりコイルばね７７とを有してなる。
【００３１】
板状部材７１は、隙間３４を覆う本体部７２と本体部７２の先端部から隙間３４側へ延びる突出部７３とを有してなり、本体部７２は、図３（ｂ）(断面図）に示すように、平面状であり、フロントパネル１０が開いた状態で、本体部７２の先端部は隙間３４を超えて枠組み２０の内面近傍位置に延びる。突出部７３は、フロントパネル１０が開いた状態で、枠組み２０の内面の基部側に延びる。そして、板状部材７１の先端部は、枠組み２０の先端部に当接した状態でねじりコイルばね７７によって隙間３４側に押し付けられる。
【００３２】
一方、フロントパネル１０が閉じられると、図４（ｂ）（断面図）に示すように、ヒンジ３１、３２によってフロントドア１０の裏側の周端部と筐体５０の前側の周端部とが近接して、隙間３４は小さな空間となる。そして、板状部材７１の本体部７２は筐体５０の左側板５０ａに沿って延びて、その先端部は僅かな隙間３４を横切って枠組み２０の内側位置に移動する。そして、突出部７３は、枠組み２０の内面に当接した状態でねじりコイルばね７７によって枠組み２０の内面に押し付けられる。このため、僅かな隙間３４から異物を差し込んでも隙間３４の内側開口部は塞がれているので、異物の侵入を阻止することができる。このため、スロットマシン１に対する不正行為を未然に防止することができる。
【００３３】
このように、カバー部７０は、前述したねじりコイルばね７７によって隙間３４側に常に付勢されているので、フロントパネル１０の開閉動作に拘らず、隙間３４の右側開口部は板状部材７１によって押圧された状態で常に塞がれる。このため、フロントドア１０の開閉動作の途中で隙間３４の内側開口部が開放された状態になることはない。その結果、図４（ａ）（断面図）に示すように、フロントパネル１０から筐体５０側へ延びるハーネスＨ２は、フロントパネル１０が閉動作している時に隙間３４側に折れ曲がっても、板状部材７１の本体部７２に当接して隙間３４内に入り込むことはない。このため、ハーネスＨ２がフロントパネル１０と筐体５０との間に挟まる事態を未然に防止することができ、ハーネスＨが隙間３４に挟まれることのないスロットマシン１を提供することができる。
【００３４】
また、カバー部７０の板状部材７１はハーネスＨ２が横切る部分の隙間３４を少なくとも覆う大きさを有することにより、板状部材７１の大きさを必要最小限にすることができ、スロットマシン１の重量増加を抑制することができる。
【００３５】
前述したように、本発明のスロットマシン１には、図４（ａ）及び（ｂ）に示すように、カバー部７０が設けられているので、フロントドア１０が閉じられたときにフロントドア１０と筐体５０との間に形成される隙間３４に挿入される異物の侵入を阻止して不正行為を防止することができる。しかしながら、カバー部７０によって覆われない隙間が存在する場合や、フロントドア１０が不正に開けられた場合には、前述した主制御基板５１等の電子部品の一部（例えば、ＩＣ−ＲＯＭ）が取り替えられたり、他の部品を付け加えられたり、このような部品に電波を発信したりする等して、スロットマシン１を誤動作させる不正行為を防止することができない。
【００３６】
このような不正行為は、営業時間中や営業時間外で無人となる夜間に行われており、これに対してホール側では、その不正行為を発見して防止するために多数の監視カメラを店内に設置して、営業中は従業員が監視し、夜間帯はビデオ録画して翌朝再生してチェックするという方法が取られている。
【００３７】
このような方法では、営業中にモニタテレビを従業員が見落としなく監視するのは困難であり、夜間帯のチェックでは、録画が長時間となるので、毎日その録画した全てを見直すのは大変に煩わしい。このため、不正行為を容易に発見可能な監視装置が望まれている。
【００３８】
そこで、図５（断面図）に示すように、板状部材７１の本体部７２が対向する筐体５０の左側板５０ａに、フロントドア１０が開いた状態にあるか否かを検出するドア開検出センサ８０（例えば、リミットスイッチ）を設ける。このドア開検出センサ８０は、フロントドア１０が開けられたときにセンサ自体を目視されないような本体部７２の裏側に配置される。このため、仮に不正行為によってフロントドア１０が開けられても、ドア開検出センサ８０の存在を隠すことができ、センサへの不正行為を未然に防止することができる。さらに、フロントドア１０が閉じられた時にフロントドア１０と筐体５０との間に形成される図４（ｂ）に示す僅かな隙間３４からドア開検出センサ８０に不正行為が行われる可能性があるが、これに対して本発明のスロットマシン１では、ドア開検出センサ８０が本体部７２によって覆い隠されるので、ドア開検出センサ８０に対する不正行為を一層困難にすることができる。
【００３９】
ドア開検出センサ８０は、左側板５０ａに形成された装着穴５３に挿着されたセンサ本体部８１とこれから突出入動自在に支持されたセンサ突出部８２とを有して構成される。センサ突出部８２は、常にセンサ本体部８１から外側に突出する方向に付勢されており、センサ突出部８２に何ら負荷が作用していないときには、センサ本体部８１から所定長を有して突出し、フロントドア１０が閉じられると、本体部７２に押されてセンサ本体部８１側に移動する。センサ本体部８１内には、電気信号を発生する図示しない電気回路が内蔵され、この電気回路は、センサ突出部８２の突出入動に応じて電気信号の出力を制御する。例えば、電気回路は、センサ突出部８２が突出動して所定長に延びると、電気信号を出力し、センサ突出部８２がセンサ本体部８１側に移動すると、電気信号の出力を遮断するように構成する。
【００４０】
このドア開検出センサ８０は、スロットマシン１が設置されたホールに隣接する監視室に設置された監視装置に接続され、監視装置は、営業中はスロットマシン１を監視して、フロントドア１０が開くと警報作動する。警報作動は、例えば、監視装置に設けられたブザーが鳴ったり、ランプが点灯、点滅したりする。またホール内に設置された複数のスロットマシンのそれぞれの近傍位置若しくはホールに並べられた一群のスロットマシン１のいずれかの位置にランプを設置し、フロントドア１０が開かれると、このランプが点灯したり点滅したりするようにしてもよい。夜間では、フロントドア１０が開かれると、自動的に監視カメラが作動して録画を開始したり、ホール内に設けられたランプやブザーが警報作動するようにしたり、監視カメラの作動と警報作動が同時に行われたりしてもよい。
【００４１】
このように、ドア開検出センサ８０はフロントドア１０が開けられても見えない位置に設けられるとともに、フロントドア１０が閉じられた時は覆い被されるので、ドア開検出センサ８０に対する不正行為をより確実に防止することができる。またドア開検出センサ８０からの検出信号に応じて監視装置が警報作動することで、ドア開検出センサ８０からの信号が不正に操作されることはなく、フロントドア１０が開けられたことを確実に監視装置に知らせることができ、その結果としてフロントドア１０が開けられることによって行われる不正行為を、容易に且つ確実に発見することができ、不正行為の発生を抑制することができる。
【００４２】
なお、前述した実施の形態では、板状部材７１は、上下方向に延びる隙間３４の一部を覆う長さを有したが、隙間３４の略全てを覆うことが可能な大きさにしてもよい。この場合、板状部材７１は重さの軽い合成樹脂材料で形成するのが良い。また板状部材７１を付勢する手段としてねじりコイルばね７７を示したが、板ばね、引っ張りばね、圧縮ばねでも良い。また板状部材７１の本体部７２は、内側に凸状に湾曲して当接するハーネスＨ２の滑りを易くしても良い。さらに前述した実施の形態では、スロットマシン１を例にしたが、ゲームセンタで用いられているゲーム機などを対象にしてもよい。
【図面の簡単な説明】
【００４３】
【図１】本発明の一実施の形態に係わるスロットマシンの正面図を示す。
【図２】このスロットマシンのフロントドアを開けた状態におけるフロントドア及び筐体の内部構造図を示す。
【図３】フロントドアを開けたときのカバー部を示し、同図（ａ）はカバー部の斜視部であり、同図（ｂ）は同図（ａ）のIII−III矢視に相当する部分の断面図である。
【図４】フロントドアを閉じたときのカバー部を示し、同図（ａ）はカバー部の斜視部であり、同図（ｂ）は同図（ａ）のIV−IV矢視に相当する部分の断面図である。
【図５】筐体に設けられたドア開検出センサの側面図を示す。
【符号の説明】
【００４４】
１  スロットマシン（箱型遊技機）
１０  フロントドア
２７  中央表示基板（電気部品）
３１、３２  ヒンジ
３４  隙間
５０  筐体
５１  主制御基板（電気部品）
７０  カバー部
７１  板状部材
７７  ねじりコイルばね（付勢手段）
Ｈ  ハーネス
【図１】
2006149741.tif 000003
【図２】
2006149741.tif 000004
【図３】
2006149741.tif 000005
【図４】
2006149741.tif 000006
【図５】
2006149741.tif 000007